(57)【要約】【課題】既存の膝装具に付設することによって、荷重の掛かる膝伸展位では、膝当バンドにより膝を前方から圧迫して、膝装具の機能を確保しつつ、屈曲位では圧迫を緩めて膝装具のズレを防ぐ機能を備えた、膝当てバンド引付機構を提供する。【解決手段】大腿側装着部材Ａの下端と、下腿側装着部材Ｂの上端とをピン連結させる役割を果たし、膝装具の装着時には、膝関節の左右両外側に位置される左右１組の関節部材Ｃ，Ｃ間に、下腿上部の前面に当接させる膝当バンドＤを跨設した構成を備える、既存の膝装具に付設する為の、本発明による膝当てバンド引付機構は、所定の長さを有して、その後端を、関節部材Ｃの後端側に連結させた引付用部材３２と、引付用部材３２の前端に取付けられて、膝当バンドＤの一端を掛止させる掛止部材３３とを備えることを特徴とする。【選択図】　　　図１
2004081435.tif 000002
【特許請求の範囲】
【請求項１】
大腿下部及び下腿上部の夫々に装着する、大腿側装着部材Ａ及び下腿側装着部材Ｂと、
大腿側装着部材Ａの下端と、下腿側装着部材Ｂの上端とをピン連結させる役割を果たし、膝装具の装着時には、膝関節の左右両外側に位置される左右１組の関節部材Ｃ，Ｃと、
左右１組の関節部材Ｃ，Ｃ間に跨設されて、下腿上部の前面に当接させる膝当バンドＤとを備えた、既存の膝装具に付設する為の機構であって、
所定の長さを有して、その後端を、関節部材Ｃの後端側に連結させた引付用部材３２と、
引付用部材３２の前端に取付けられて、膝当バンドＤの一端を掛止させる掛止部材３３とを備えており、
荷重の掛かる膝伸展位では、膝を前方から圧迫し、屈曲位では圧迫を緩めて膝装具のズレを防ぐ機能を有することを特徴とする膝装具用の膝当てバンド引付機構。
【請求項２】
引付用部材３２の後端を、関節部材Ｃに後ろ向きに突設したアーム３１の突出端に連結させたことを特徴とする請求項１記載の膝装具用の膝当てバンド引付機構。
【発明の詳細な説明】
【０００１】
【発明の属する技術分野】
本発明は、例えば、運動競技中や筋肉労働中に無理な動作をした為に、膝関節を補強する靱帯が損傷を被った場合に、損傷部分が治癒する迄、大腿下部と下腿上部とに跨がらせて巻回状に装着して、膝関節に無理な力が掛かるのを防ぐ為の、或いは、激しい運動競技をする時に装着して、靱帯の損傷事故を予防する為の、膝関節用の保護装具に関する。
【０００２】
【従来の技術】
既存の、膝関節用の保護装具としては、夫々ほぼ半円筒形をした剛性材料製の大腿支持部と、下腿支持部とを、ヒンジ部を介して上下に連結させて、その本体としたものがある。
膝を左右から挟む様に配置した１組のヒンジ部間には、下腿上部の前面に当接させる為の膝当バンドを跨設している。
その使い方は、大腿側及び下腿側の各支持部を、大腿下部及び下腿上部に、その前側から覆い被せ、この被覆状態を、夫々の支持部に取付けてある締結バンドによって、着脱自在に固定させる様になっている。
【０００３】
【発明が解決しようとする課題】
然しながら、既存の上記膝装具には、尚、改善すべき余地が残されている。
と言うのは、スポーツ等で膝の前十字靱帯を損傷すると、下腿骨（脛骨）が、前方、回旋方向に不安定になる。この様な不安性を抑制する機能は、既存の膝装具にもあるが、膝の屈伸には対応していない。
【０００４】
そこで、本発明の目的は、既存の膝装具に付加することによって、荷重の掛かる膝伸展位では、膝に前方からの圧迫を加えて、膝装具の機能を確保しつつ、屈曲位では前記の圧迫を緩めて、膝装具のズレ動きを阻止出来る様に構成された、膝当てバンド引付機構を提供するにある。
【０００５】
【課題を解決するための手段】
上記の目的を達成する為の、本発明による膝装具用の膝当てバンド引付機構は、
大腿下部及び下腿上部の夫々に装着する、大腿側装着部材Ａ及び下腿側装着部材Ｂと、
大腿側装着部材Ａの下端と、下腿側装着部材Ｂの上端とをピン連結させる役割を果たし、膝装具の装着時には、膝関節の左右両外側に位置される左右１組の関節部材Ｃ，Ｃと、
左右１組の関節部材Ｃ，Ｃ間に跨設されて、下腿上部の前面に当接させる膝当バンドＤとを備えた、既存の膝装具に付設する為の機構であって、
所定の長さを有して、その後端を、関節部材Ｃの後端側に連結させた引付用部材３２と、
引付用部材３２の前端に取付けられて、膝当バンドＤの一端を掛止させる掛止部材３３とを備えており、
荷重の掛かる膝伸展位では、膝を前方から圧迫し、屈曲位では圧迫を緩めて膝装具のズレを防ぐ機能を有することを特徴とする。
そして、引付用部材３２は、その後端を、関節部材Ｃに後ろ向きに突設したアーム３１の突出端に連結させてもよい。
【０００６】
【発明の実施の形態】
以下に、本発明による膝装具用の膝当てバンド引付機構の一実施例に就いて、図面を参照しながら説明する。
図１は、この実施例の膝装具１００を、膝２００の周りに装着し状態を示す斜視図であり、図２は、装着用の固定バンド（後述）を取り外した状態の膝装具１００の正面図である。
【０００７】
先ず、膝装具１００の概略の構造を説明すると、その本体部分は、大腿下部及び下腿上部の夫々に、着脱自在に巻回状に装着する大腿側装着部材Ａの下端と、下腿側装着部材Ｂの上端とを、左右両側で１組の関節部材Ｃ，Ｃを介して、ピン連結させた構成を備えている。
この１組の関節部材Ｃ，Ｃは、膝装具１００の装着時には、膝関節の左右両外側に位置される。
【０００８】
更に、左右１組の関節部材Ｃ，Ｃ間には、下腿上部の前面に当接させる膝当バンドＤを張設している。
両関節部材Ｃ，Ｃには、本発明による膝当てバンド引付機構Ｅを組付けている。
この膝当てバンド引付機構Ｅは、下腿骨が大腿骨に対して相対的に前方にズレ動くのを防ぐ為に、膝の伸展運動に連動して、膝当バンドＤを後方側に引き付ける様に作用する。
そして、膝の屈曲時には緩んで、膝装具１００のズレ動きを防止する役割を果たす。
【０００９】
次に、膝装具１００の細部の構造に就いて、以下に順次説明する。
先ず、大腿側装着部材Ａは、大腿下部の前側に覆い被せられる様に、その横断面を半円筒形に湾曲させると共に、膝２００が当たる部分を刳り抜くことによって、正面視形状がほぼＵ形をした、硬質プラスチック製の大腿側フレーム１を本体としている。
【００１０】
大腿側フレーム１の上端には突片１ａを延設している。この突片１ａの裏面側には、大腿の前面側に巻回状に当接させる為の巻回用パッド２を、止ピン３を用いて取付けている。
この巻回パッド２は半硬質プラスチック製で、横長の矩形板状に形成されており、その裏面には、スポンジ板から成るクッション材（図示略）を貼着させている。
【００１１】
巻回パッド２の左右両端には、図３に示した固定バンド４を、挿通状態で掛止させる為のスリット５を設けている。
固定バンド４は、その両端を左右のスリット５に挿通させたうえ、対向状に折り曲げて互いに引き寄せ、両端同士を適宜に重ね合わせた状態を、固定バンド４に取付けたベルベット式ファスナー（図示略）によって固定させる様になっている。
そして、大腿側フレーム１の左右両端には、別の固定バンド６を掛止させる為の、スリット５を備えた掛止具７をピン連結している。
【００１２】
下腿側装着部材Ｂも、大腿側装着部材Ａに準ずる構造を備えている。
即ち、図１，図２に於いて、１１は下腿側フレーム、１２は巻回用パッド、１３は止ピン、１４，１６は夫々固定バンド、１７は掛止具である。
【００１３】
尚、巻回用パッド２及び１２が、直接皮膚に接触するのを避ける為に、膝装具１００の装着に先立って、図１中に示した様に、スポンジ板製のベースパッド８及び１８を、巻回用パッド２及び１２が当接される箇所に巻き付けたうえ、ベルベット式ファスナー（図示略）で固定する様にしている。
【００１４】
次に、関節部材Ｃの構成に就いて、図５及び図１，図２を参照しながら説明する。
関節部材Ｃは、図５に示した形状を備える硬質プラスチック製のプレート２１をその本体としている。
プレート２１には、上下２箇所に、連結ピン２３及び２４を横向きに取付けている。
【００１５】
上側の連結ピン２３は、左右両サイド部分を備えた大腿側フレーム１の片側サイドの下端部に挿通させている。
別の片側サイドには、別の関節部材Ｃのプレート２１の連結ピン２３が挿通される。
プレート２１の下側の連結ピン２４には、同じく左右両サイド部分を備えた下腿側フレーム１１の、夫々のサイドの下端部に挿通させている。
大腿側フレーム１と下腿側フレーム１１との対向間隙には、スペーサー２２を介在させている。
【００１６】
関節部材Ｃの内側の、膝２００が接触する部分には、クッションパッド２５を取付けている（図１，図２参照）。
【００１７】
次に、膝当てバンド引付機構Ｅの構成と作用に就いて、図１、図５、及び図６を参照しながら説明する。
この実施例の膝当てバンド引付機構Ｅは、関節部材Ｃのプレート２１に後ろ向きに突設したアーム３１と、アーム３１の突出端にその後端部を連結させた、所定長さのワイヤー（引付用部材）３２と、ワイヤー３２の前端に取付けられて、膝当バンドＤの一端を掛止させる掛止部材３３とを備えている。
【００１８】
アーム３１は、図５に示した様に、螺止３４によって、その長手方向に沿って前後動可能にプレート２１に螺止している。
アーム３１の一部が、プレート２１の後方に突き出た突出端には、金属板を曲げ加工して作られた短小な挿通筒３４を、横向きに螺止している。
ワイヤー３２は、その後端部を挿通筒３５に遊嵌させている。そして、ワイヤー３２の後端には、抜止用の膨出部３２ａを設けている。
【００１９】
金属板製の掛止部材３３は、ほぼ台形を成しており、その底辺側には、膝当バンドＤを挿通させる止環を設けている。
そして、掛止部材３３の頂辺側には、ワイヤー３２の前端を連結させる為のボールジョイント３６を取付けている。
又、ワイヤー３２には、その前後両端部を除いて、柔軟性に富んだチューブ３７を被せて、膝装具１００や装着者の肌等に直接触れない様にしている。
【００２０】
図４に示した様に、膝当バンドＤは、固定バンド４，６等に類する構造を備えており、これ等の固定バンドと同様にして、図１に示した様に、左右１組の膝当てバンド引付機構Ｅ，Ｅの各掛止部材３３，３３間に張設される。
尚、図示は省いたが、既存の膝装具では、膝当バンドＤに相当する部材を、左右１組の関節部材Ｃ，Ｃに相当する部材間に、直接的に張設していた。
【００２１】
次に、膝当てバンド引付機構Ｅの作用に就いて、図５，図６を参照しながら説明する。
図５は、膝装具１００の装着者が立ち上がっている時の、膝当てバンド引付機構Ｅの状態を示している。
この時、膝当バンドＤは、図示は省いたが、下腿上端部の前面に当てがわれた状態になる。
膝が伸展するに連れて前面からの圧迫力は増す。圧迫力の調節は、膝当バンドＤで行う。
【００２２】
図６は、歩行中又は座位で膝を屈曲した時の、膝当てバンド引付機構Ｅの状態を示している。
図５，図６から理解される様に、膝が屈曲されると、それに伴って、関節部材Ｃは、図６に符号Ｆを付して矢示した様に、連結ピン２３，２４の周りに後ろ向きに回動される。
【００２３】
その為、膝当バンドＤの掛止部材３３も、図６に符号ｆを付して矢示した様に、後退動される。
この様な動作状態では、膝当バンドＤが緩み、膝装具１００が足先の方向（下方）にズレることを防止出来る。
【００２４】
膝当バンドＤの前後動範囲を、着用者の体形等に応じて調節したい場合には、アーム３１を、その止螺３４を一旦緩めて、適宜に前後動させればよい。
或いは、サイズの異なるアーム３１に取替えてもよい。
【００２５】
次に、図７に、膝当てバンド引付機構Ｅの他の実施例を示した。
上記実施例の膝当てバンド引付機構Ｅと異なる点は、プレート２１の後端側をより後方に突出させた形状にすることによって、アーム３１を省き、ワイヤー３２の後端を、プレト２１の後端部に直接連結させたところにある。
【００２６】
【発明の効果】
以上の説明によって明らかな様に、既存の膝装具に、本発明による膝装具用の膝当てバンド引付機構を付設することによって、以下に記した如き優れた機能を付加させることが出来る。
膝の伸展に伴って、膝当バンドが下腿前面を圧迫して膝装具の機能を果たすと共に、膝屈曲位では膝当てバンド引付機構の作用によって、膝当バンドが緩み、装具のズレを防ぐことが出来る。
これによって、荷重時には、前方不安定性を無くし、非荷重時には、膝当バンドによる圧迫感を解消させると共に、膝装具のズレ動きを防止出来る。
更に、本機構は、構造が至極単純なので、費用対効果の点でも極めて優れている。
【図面の簡単な説明】
【図１】本発明の一実施例を示すもので、膝当てバンド引付機構を付設した膝装具の装着状態を示す斜視図である。
【図２】同上、装着用の複数本の固定バンドを総て取り外した状態で示す、膝装具の正面図である。
【図３】同上、複数本の固定バンドのうちの１つの展開図である。
【図４】同上、膝当バンドの展開図である。
【図５】同上、装着者が立ち上がった時の、膝当てバンド引付機構の状態を示す側面図である。
【図６】同上、膝を曲げた時の、膝当てバンド引付機構の状態を示す側面図である。
【図７】膝当てバンド引付機構の他の実施例を示す、要部の側面図である。
【符号の説明】
１００　保護装具
２００　膝
Ａ　大腿側装着部材
Ｂ　下腿側装着部材
Ｃ　関節部材
Ｄ　膝当バンド
Ｅ　膝当てバンド引付機構
１　大腿側フレーム
１ａ　突片
２，１２　巻回用パッド
３　止ピン
４，１４　　固定バンド
５　スリット
６，１６　固定バンド
７，１７　掛止具
８，１８　ベースパッド
１１　下腿側フレーム
２１　プレート
２２　スペーサー
２３，２４　連結ピン
２５　クッションパッド
３１　アーム
３２　ワイヤー（引付用部材）
３２ａ　膨出部
３３　掛止部材
３４　止螺
３５　挿通筒
３６　ボールジョイント
３７　チューブ
【図１】
2004081435.tif 000003
【図２】
2004081435.tif 000004
【図３】
2004081435.tif 000005
【図４】
2004081435.tif 000006
【図５】
2004081435.tif 000007
【図６】
2004081435.tif 000008
【図７】
2004081435.tif 000009